(57)【特許請求の範囲】
【請求項１】
パネルと該パネルの端部を保持するホルダーとの間に、パネルを室内側に押圧する弾性材を設け、
パネルがルーバー窓の閉塞時に上下に直線状に連続し、かつ上下に隣接するパネルの対向する一方のパネルの端部に設けた気密材が、他方のパネルの端部または他方のパネルの端部に設けた気密材に当接する構造とし、
ルーバー窓の縦枠に、窓閉塞時にパネルの左右端部より内側のパネル面を当接させて各パネルのパネル面を揃える位置規制部を設け、
該縦枠に、窓閉塞時にパネルの左右端部より内側のパネル面を当接させる気密材を設け、
ルーバー窓の上枠と最上端のパネルとの間、およびルーバー窓の下枠と最下端のパネルとの間に、それぞれルーバー窓閉塞時に枠とパネル間の隙間を閉塞する気密材を横方向に設けた
ことを特徴とするルーバー窓。
【請求項２】
パネルと該パネルの端部を保持するホルダーとの間に、パネルを室内側に押圧する弾性材を設け、
パネルがルーバー窓の閉塞時に上下に直線状に連続し、かつ上下に隣接するパネルの対向する一方のパネルの端部に設けた気密材が、他方のパネルの端部または他方のパネルの端部に設けた気密材に当接する構造とし、
ルーバー窓の縦枠に、窓閉塞時にパネルの左右端部より内側のパネル面を当接させて各パネルのパネル面を揃える高い剛性の弾性材でなる位置規制部を設け、
ルーバー窓の上枠と最上端のパネルとの間、およびルーバー窓の下枠と最下端のパネルとの間に、それぞれルーバー窓閉塞時に枠とパネル間の隙間を閉塞する気密材を横方向に設けた
ことを特徴とするルーバー窓。
【発明の詳細な説明】
【０００１】
【発明の属する技術分野】
本発明は、例えば浴室等のように、必要に応じて換気を要する建物の開口部に設けられるルーバー窓に関する。
【０００２】
【従来の技術】
ルーバー窓には、窓閉塞時に上下に隣接するパネル面どうしを当接させるように、各パネルがやや傾斜した姿勢をとる構造のものと、実開昭５６−７００８３号、実開昭５７−２１１８８号、実開平４−４１０８７号に開示されているように、ルーバー窓の閉塞時に各パネルが上下に直線状に並ぶ構造をとるものとがある。いずれの構造をとる場合においても、例えば前記実開昭５６−７００８３号に開示されているように、縦枠に設けた気密材に、パネルの左右両端のホルダーを当接させることによってパネルの左右端部と縦枠との間の隙間を閉塞する構造をとっている。
【０００３】
【発明が解決しようとする課題】
上記した従来のルーバー窓のうち、パネルが傾斜した姿勢で閉塞する前者の場合、パネル集合体を側面側から見た場合、シグザグな構造をなしており、このジグザグな構造をなすホルダーの側面に気密材を当てているため、気密材とホルダーとの間に隙間を生じやすく、また、ホルダーとパネルとの間の隙間を通して室内外の空気が連通して気密性を損なうという問題点があった。
【０００４】
また、後者の場合、実開昭５６−７００８３号に開示されているように、縦枠に取付けた気密材をホルダーの室内側の面に当てたとしても、パネルとそのホルダーとの間のガタにより、ホルダーと気密材との間、および上下のパネル間に隙間を生じやすく、また、前者の場合と同様に、ホルダーとパネルとの間の隙間がある場合には、その隙間を通して内外の空気が連通しやすく、気密性の面で改良すべき点があった。
【０００５】
本発明は、上記の問題点に鑑み、枠とパネルとの間、およびパネル間の隙間の発生による気密性の低下を防止することができ、その結果、断熱性も向上させたルーバー窓を提供することを目的とする。
【０００６】
【課題を解決するための手段】
本発明は、上記目的を達成するため、パネルと該パネルの端部を保持するホルダーとの間に、パネルを室内側に押圧する弾性材を設け、パネルがルーバー窓の閉塞時に上下に直線状に連続し、かつ上下に隣接するパネルの対向する一方のパネルの端部に設けた気密材が、他方のパネルの端部または他方のパネルの端部に設けた気密材に当接する構造とし、ルーバー窓の縦枠に、窓閉塞時にパネルの左右端部より内側のパネル面を当接させて各パネルのパネル面を揃える位置規制部を設け、該縦枠に、窓閉塞時にパネルの左右端部より内側のパネル面を当接させる気密材を設け、ルーバー窓の上枠と最上端のパネルとの間、およびルーバー窓の下枠と最下端のパネルとの間に、それぞれルーバー窓閉塞時に枠とパネル間の隙間を閉塞する気密材を横方向に設けたことを特徴とする。（請求項１）。
【０００７】
また、本発明は、前記位置規制部として高い剛性の弾性材を用いることにより、位置規制部に気密材としての機能も発揮させたことを特徴とする（請求項２）。
【０００８】
【作用】
請求項１においては、ルーバー窓の閉塞時に、縦枠に設けた位置規制部に、パネルの室内側のパネル面を直接当接させ、さらにパネルを閉じ方向に動かすと、ホルダーが室内側方向に移動し、ホルダーとパネルとの間の弾性材が圧縮されるので、上下に配設される複数枚のパネルのホルダーと開閉機構との組み立て上の誤差、あるいは各パネルとホルダーとの組み立て上の誤差が吸収され、全パネルについてパネル面が面一に揃えられる。従って、上下に隣接する気密材どうしが緊密に当接し、上下のパネル間の気密性が向上する。
【０００９】
また、このようにパネル面が揃ったパネルに対して気密材を当接させているので、従来のようにホルダーを気密材に当てる構造に比較し、気密性が向上する。そして、隣接するパネルの両端のホルダーとパネルとの間に隙間があったとしても、直線状に配列されるパネルと気密材との間がパネルの端部よりも中央側で密着することにより、気密性が確保される。
【００１０】
請求項２においては、位置規制部自体が弾性を持つことにより、位置規制部が気密材としての機能を併せ持つ。
【００１１】
【実施例】
図１、図２はそれぞれ本発明によるルーバー窓の一実施例を閉塞、開放状態で示す縦断面図、図３は本実施例のルーバー窓の横断面図、図４（Ａ）は本実施例の要部を示す横断面図、図４（Ｂ）は本実施例におけるパネルのホルダーへの取付け構造を示す縦断面図である。
【００１２】
図１ないし図３において、１は建物の壁等に設けられた開口部に固定される枠であり、該枠１はアルミニウム合金製あるいは合成樹脂製押出形材でなる上枠２と下枠３と縦枠４とを方形に組んでタッピングねじ等の固定具で結合することにより構成される。本例の枠２〜４は、それぞれ室内側部材２ａ〜４ａと室外側部材２ｂ〜４ｂとの間に断熱材５を設けることにより、断熱形材として構成されたものであるが、本発明は、断熱材５を有しない一般の形材でなるものにも適用される。
【００１３】
図３、図４（Ａ）に示すように、左右の縦枠４には可動ルーバーの取付け枠６がねじ等の固定具７により固定される。図１、図２に示すように、各取付け枠６にはパネル（ルーバー羽根）を保持する複数個のホルダー９が、第１のアーム１０と第２のアーム１１を介して縦に配列して回動自在に取付けられる。本発明は、パネルの取付け段にそれぞれ一枚ずつパネルが取付けられる場合にも適用できるが、本例においては、各取付け段に室内側パネル８ａと室外側パネル８ｂとからなる２枚のパネルを保持する例について示す。
【００１４】
前記第１のアーム１０は、取付け枠６に対して枢着軸１３を介して中間部を回動自在に連結し、該第１のアーム１０の一端は、ハンドル１４の操作により伝達機構１５（詳細を省略する）を介して上下動される連動フレーム１２に連結軸１６により回動自在に連結し、第１のアーム１０の他端はホルダー９の上部に連結軸１８により回動自在に連結する。第２のアーム１１は、前記枢着軸１３より下方に位置する枢着軸１９を介して取付け枠６に回動自在に一端を連結し、他端を連結軸２０によりホルダー９の上部に回動自在に連結する。第１のアーム１０の枢着軸１３とホルダー９との連結軸１８との間の長さは、第２のアーム１１の枢着軸１９とホルダー９との連結軸２０との間の長さより短く設定され、ルーバー窓を閉じた状態においては、第２のアーム１１の連結軸２０の位置は、第１のアーム１０の連結軸１８より室外側でかつ下方に位置する。
【００１５】
室内側パネル８ａの上端には、室外側に向いた傾斜面を有するゴム等からなる気密材２１を固着し、室内側パネル８ａの下端には、室内側に向いた傾斜面を有するゴム等からなる気密材２２を固着する。室外側パネル８ｂは、最上端のパネル以外は同様の気密材２１、２２をパネルの上下端に固着し、最上端の室外側パネル８ｂの上端には、ルーバー窓の閉塞状態において上枠２の室外側部材２ｂに形成したフィン２ｘに当接させるひれ部を有する気密材２３を固着する。これらの気密材２１〜２３は、パネル８ａ、８ｂと共押しによって一体成形することにより、接着に比較してずれることなく固着でき、気密材を含めたパネル価格を低減すると共に、パネル８ａ、８ｂの端面の保護機能や人の負傷防止機能も気密材２１〜２３に兼ね持たせるものである。
【００１６】
図４（Ａ）、（Ｂ）に示すように、ホルダー９には、それぞれ室内外パネル８ａ、８ｂを直接取付けてもよいが、本実施例においては、コ字形の水平断面形状を有するクリップ３１をホルダー９に固定し、それぞれのクリップ３１に室内外側パネル８ａ、８ｂの端部を保持させている。すなわち、各クリップ３１の室内側内壁面にはそれぞれゴムやスポンジ等でなる弾性を有する気密材３２が貼り付けられ、室外側内壁面にはばね３０が固定されている。そして、室内側パネル８ａ、室外側パネル８ｂの端部が、ばね３０と気密材３２との間に嵌め込まれて取付けられ、各パネル８ａ、８ｂは、ばね３０により室内側に押しつけられる。
【００１７】
各枠２〜４の室内側部材２ａ、３ａ、４ａには、補助枠２ｃ、３ｃ、４ｃが取付けられ、これらの補助枠２ｃ、３ｃ、４ｃの室外側に形成された溝２ｄ、３ｄ、４ｄに、４周にわたり連続する気密材２６が、それぞれ気密材２６の上辺部２６ａと側辺部２６ｂと下辺部２６ｃを押し嵌めし、かつ気密材２６の両端を２ｃ、３ｃ、４ｃ内のいずれかで突き合わせることにより取付けられている。
【００１８】
また、縦枠３の補助枠３ｃには、気密材２６の溝３ｄに並べて、室内側パネル８ａに向けて、該パネル８ａのパネル面を当接させるリブ状の位置規制部３ｅがパネル８ａの配列部のほぼ全長にわたって形成されている。図２に示すように、ルーバー窓を開放した状態においては、気密材２６が位置規制部３ｅの先端よりも室外側に突出する。
【００１９】
また、図３、図４（Ａ）に示すように、パネルの取付け枠６には、ホルダー９の室外側部分に側方に突出させたフィン９ａを当接させる気密材２５を溝６ａに嵌着して取付けている。また、図１、図２に示すように、下枠４の室外側部材４ｂには、最下端の室外側パネル８ｂの下端部を当接させる気密材２７が、取付け溝４ｅに嵌着して取付けられる。
【００２０】
このルーバー窓は、図１に示すように、ルーバー窓の閉塞時には、縦枠３に設けた位置規制部３ｅに、室内側パネル８ａの室内側のパネル面が直接当接してパネル面を揃える。すなわち、前記ハンドル１４の閉じ方向の操作によりホルダー９を室内側方向に移動して全閉状態に至る際に、ホルダー９とパネル８ａとの間（本実施例においてはクリップ３１を設けているので、クリップ３１とパネル８ａとの間）のばね３０が圧縮され、これにより、たとえ、上下に配設される複数枚のパネル８ａのホルダー９とアーム１０、１１等の開閉機構との組み立て上の誤差、あるいは各パネル８ａとホルダー９との組み立て上の誤差あったとしてもその誤差がばね３０のたわみにより吸収され、上下に配列される全パネル８ａについてパネル面が面一に揃えられる。
【００２１】
また、ルーバー窓の閉塞時には、室外側パネル８ｂも上下に直線状に連続し、かつ上下に隣接するパネル８ａ、８ｂの対向する上下の端面に設けた気密材２１、２２どうしが互いに当接してパネル間の気密性を保つ。また、図１、図４（Ａ）に示すように、ルーバー窓の縦枠３の前記補助枠３ｃに上下に連続して設けた気密材２６の側辺部２６ｂには、閉塞時に室内側パネル８ａの左右端部のホルダー９より内側のパネル面を当接させる。なお、気密材２６はその一部がホルダー９に当接する構造としてもよい。
【００２２】
また、ルーバー窓の閉塞時には、図１に示すように、最上端の室内側パネル８ａのパネル面は、ルーバー窓の上枠２の補助枠２ｃに取付けた気密材２６の上辺部２６ａに当接し、最下端の室内側パネル８ａのパネル面は、ルーバー窓の下枠４の補助枠４ｃに取付けた気密材２６の下辺部２６ｃに当接する。さらに、ルーバー窓の閉塞時には、最上端の室外側パネル８ｂの気密材２３が上枠２のフィン２ｘに当接すると共に、図４（Ａ）に示すように、ホルダー９の側面に突出したフィン９ａが、パネルの取付け枠６に取付けた気密材２５に当接すると共に、図１に示すように、最下端の室外側パネル８ｂの最下部が、下枠４に取付けた気密材２７に当接する。これにより、ホルダー９と枠２〜４との間に、室内側の気密材２６と、室外側の気密材２３、２５、２７により囲まれた空間が形成される。
【００２３】
上述のように、位置規制部３ｅに室内側パネル８ａのパネル面を押し当てることにより、組み立て誤差がばね３０によって吸収され、室内側パネル８ａのパネル面が確実に揃うので、室内側パネル８ａの上下に隣接するパネルの気密材２１、２２が緊密に接触して気密性が向上する。また、図４（Ａ）に矢印ｅで示すように、ホルダー９とパネル８ａ、８ｂとの間に隙間がある場合、あるいは上下のホルダー９間に隙間がある場合であっても、ホルダー９の室内側空間ｆとルーバー窓の室内側空間ｈとが気密材２６の側辺部２６ｂによって遮断されるため、気密性が向上する。
【００２４】
なお、最上下端の室内側パネル８ａと上枠２および下枠４との間には、それぞれ上枠２、下枠４に取付けた気密材を室内側パネル８ａに当接させてもよいが、本実施例のように、枠２〜４に対して一連の気密材２６を設けて該気密材２６にパネル面を当接させることにより、上枠２や下枠４に設ける気密材と縦枠３に設ける気密材との間のずれ等による気密性の低下の問題が起こらないという利点がある。
【００２５】
なお上記実施例において、室外側パネル８ｂに気密材２３を設ける代わりに上枠２に気密材を設けてもよく、また、ルーバー窓閉塞時に上下枠２、４と室内側パネル８ａとの間の隙間を閉塞するために横方向に設ける気密材としては、気密材２６の上辺部２６ａや下辺部２６ｃを用いるのではなく、最上端の室内側パネル８ａの上辺と最下端の室内側パネル８ａの下端に別個の気密材を設けてそれぞれ上枠２、下枠４に接触させるようにしてもよい。また、最下端の室外側パネル８ｂの下端に気密材を設け、その気密材を下枠４に当接させてもよい。また、本実施例のように２重パネルを構成する場合、室外側パネル８ｂについては必ずしもばね３０によって押圧する構造を採用する必要はないが、ばね３０と気密材３２との間にパネル８ｂを押し込む構造にすれば取付けが容易であってかつガタが発生しないという利点があり、また、室内側パネル８ａと取付け部品の共通化が図れるという利点がある。
【００２６】
図５（Ａ）、（Ｂ）はそれぞれ本発明の他の実施例を示す図４（Ａ）相当断面図であり、図５（Ａ）の例は、位置規制部３ｅを覆うように、溝３ｄに気密材３３を取付けた例である。本実施例においては、ルーバー窓を閉じる時、気密材３３が圧縮されて位置規制部３ｅに当たり、より以上の収縮が阻まれ、気密材３３が圧縮されることにより、パネル面の位置規制によるパネル面の揃えと気密性の確保が同時になされる。
【００２７】
図５（Ｂ）の実施例は、前記溝３ｄに、パネル面を揃える硬質ゴムまたは合成樹脂製の弾性材３４を嵌め込むことにより、位置規制部を構成したものである。本実施例の場合には、弾性材３４が通常の気密材より高い剛性を持つことにより、パネル８ａを弾性材３４に押しつけた場合の収縮量が少なくなり、該弾性材３４がパネル面を揃える位置規制機能と、気密性確保の機能を併せ持つものである。
【００２８】
本発明においては、パネルを室内側に押圧する弾性材としてばね３０の代わりにスポンジやゴムを用いてもよく、また、上下に隣接するパネル８ａ、８ｂの対向する一方のパネル８ａ、８ｂの端部に設けた気密材２１または２２が、他方のパネル８ａ、８ｂの端部に直接当接して気密性を保持するようにしてもよい。さらに、本発明の要旨を逸脱しない範囲において、枠２〜４、取付け枠６、パネル８ａ、８ｂ、ホルダー９、パネル８ａ、８ｂの取付け構造、気密材２１、２２、２３、２５、２６、２７、３３、位置規制部３ｅ、３４等について種々の変更、付加が可能である。
【００２９】
【発明の効果】
請求項１によれば、ホルダーとパネルとの間に、パネルを室内側に押圧する弾性材を設けたので、複数枚のパネルのホルダーと開閉機構との組み立て上の誤差、あるいは各パネルとホルダーとの組み立て上の誤差が弾性材により吸収され、全パネルについてパネル面が面一に揃えられ、上下のパネルの気密材間が緊密に接触して気密性が向上する。また、このようにパネル面が揃ったパネルに対して気密材を当接させているので、前記組み立て誤差の存在等によってホルダーとパネルとの間に隙間が存在しても気密性が確保され、従来のようにホルダーを気密材を当接させる構造に比較して気密性が向上すると共に、断熱性が向上する。
【００３０】
請求項２によれば、位置規制部自体が硬質ゴム等のような高い剛性率を持つ部材によって構成したので、請求項１と同様のパネル面を揃える効果と気密性の向上効果が得られる。
【図面の簡単な説明】
【図１】本発明によるルーバー窓の一実施例を閉塞状態で示す縦断面図である。
【図２】本発明によるルーバー窓の一実施例を開放状態で示す縦断面図である。
【図３】本実施例のルーバー窓の横断面図である。
【図４】（Ａ）は本実施例の要部を示す横断面図、（Ｂ）は本実施例におけるパネルのホルダーへの取付け構造を示す縦断面図である。
【図５】（Ａ）、（Ｂ）はそれぞれ本発明の他の実施例を示す図４（Ａ）相当断面図である。
【符号の説明】
１：枠、２：上枠、３：縦枠、３ｃ：補助枠、３ｅ：位置規制部、４：下枠、５：断熱材、６：パネルの取付け枠、８ａ：室内側パネル、８ｂ：室外側パネル、９：ホルダー、１０：第１のアーム、１１：第２のアーム、１２：連動フレーム、１３、１９：枢着軸、１６、１８、２０：連結軸、２１〜２３、２５〜２７、３２、３３：気密材、３０：ばね、３４：弾性材（位置規制部）
【図１】
0003571474.tif 000002
【図２】
0003571474.tif 000003
【図３】
0003571474.tif 000004
【図４】
0003571474.tif 000005
【図５】
0003571474.tif 000006